(57)【特許請求の範囲】
【請求項１】
検眼ケース本体に検眼ケース蓋体が開閉に取り付けられた検眼ケースを備え、前記検眼ケース本体に複数の検眼レンズや眼鏡を収納した検眼レンズセットが収納され、前記検眼ケース蓋体に遠隔操作により点灯表示装置の任意の検査指標を点灯表示させるコントローラが収納されたまま各々使用可能に設けられていることを特徴とする検眼装置。
【請求項２】
前記コントローラからの発信信号を受けて、前記点灯表示装置の受信部に向けて再発信する再発信部を前記検眼ケースに設けたことを特徴とする請求項１記載の検眼装置。
【請求項３】
前記再発信部は、前記コントローラからの発信信号を前記検眼ケース内に設けた信号伝達手段を経て再発信することを特徴とする請求項２記載の検眼装置。
【請求項４】
前記再発信部を前記検眼ケースの外面に発信光の投射方向を可変に設けたことを特徴とする請求項３記載の検眼装置。
【請求項５】
前記検眼ケースに被検者の視力検査結果を記録する記録台を設けたことを特徴とする請求項１、２、３又は請求項４のいずれか１項記載の検眼装置。
【請求項６】
前記検眼ケースは移動可能なキャスター付きのスタンドに搭載されていることを特徴とする請求項１、２、３、４又は請求項５記載のいずれか１項記載の検眼装置。
【請求項７】
請求項１〜６のうちいずれか１項記載の検眼装置と、前記検眼装置のコントローラより遠隔操作により任意の検査指標を点灯表示可能な受信部を有する点灯表示装置とを備えたことを特徴とする視力検査装置。
【発明の詳細な説明】
【０００１】
【発明の属する技術分野】
本発明は、複数の検眼レンズを用いて被検者の視力検査を行いながら検査結果を記録する検眼装置及び該検眼装置のコントローラより遠隔操作により任意の検査指標を点灯表示する点灯表示装置を用いて視力検査を行う視力検査装置に関する。
【０００２】
【従来の技術】
従来、診療所，眼科医院，学校等で被検者の視力検査を行う場合には、図６に示す検査指標が形成された任意の検査指標を個別に点灯表示可能な点灯表示装置５１が用いられている。この点灯表示装置５１は、図７に示すコントローラ５２により遠隔操作により任意の検査指標を点灯表示可能な受信部５３を備えている。コントローラ５２は、検査指標に対応したキーが設けられており、検査者が所定のキーを押すと赤外線発信信号が点灯表示装置５１の受信部５３に向けて照射され、所望の検査指標を点灯表示するようになっている。コントローラ５２は、比較的大型のものは図７に示すように、スタンド５４に固定或いは着脱可能に搭載されている。
また、被検者は点灯表示装置５１より５ｍ程度離れた位置に立つか椅子に座って、図８に示す複数の検眼レンズを収納した検眼レンズセット５５を移動可能なスタンド５６に支持して、該検眼レンズセット５５より度数や軸角度の異なる検眼レンズを交換使用して最高の矯正視力が得られるまで検査を行い、検査者が検査結果をテーブル上で記録していた。
【０００３】
【発明が解決しようとする課題】
従来の視力検査装置は、検査者は検査を行う場合に、コントローラ５２、検眼レンズセット５５の検眼レンズの交換、検査結果の記録等の作業を行うため、個々の機器を組み合わせた場合には、広い作業スペースを要し検査が効率的に行えない。スタンド５４に搭載したコントローラ５２の向きによっては受信部５３への指向性が低下して、点灯表示装置５１が所期の点灯表示し難い場合もあった。また、コントローラ５２や検眼レンズセット５５をスタンド５４，５６より各々取り外して長机に置いて検査結果を記録する場合にも、無駄な作業スペースを要するうえに、コントローラ５２を落として破損するおそれもあった。
また、点灯表示装置５１とコントローラ５２との間の信号の送受信を電波で行う場合には、蛍光灯などから発せられる高調波の影響を受け易く、使用場所によっては、安定した通信状態が得られないという問題点があった。
このように、コントローラ５２の安全性を確保すると共に送信部の指向性に制約されず、しかも検査者の近くに検眼レンズセット５５をおいて検査を行いながら検査結果を記録したいという要望があった。
【０００４】
本発明の目的は、上記従来技術の課題を解決し、コントローラを安全に使用できると共に送信部の指向性に制約されず、しかも作業スペースを省略して使い勝手を向上させた検眼装置及び該検眼装置を用いた視力検査装置を提供することにある。
【０００５】
【課題を解決するための手段】
上記課題を解決するため、本発明は次の構成を備える。
即ち、検眼装置においては、検眼ケース本体に検眼ケース蓋体が開閉に取り付けられた検眼ケースを備え、前記検眼ケース本体に複数の検眼レンズや眼鏡を収納した検眼レンズセットが収納され、前記検眼ケース蓋体に遠隔操作により点灯表示装置の任意の検査指標を点灯表示させるコントローラが収納されたまま各々使用可能に設けられていることを特徴とする。
また、コントローラからの発信信号を受けて、点灯表示装置の受信部に向けて再発信する再発信部を検眼ケースに設けたことを特徴とする。
また、再発信部は、コントローラからの発信信号を検眼ケース内に設けた信号伝達手段を経て再発信することを特徴とする。
また、再発信部を検眼ケースの外面に発信光の投射方向を可変に設けたことを特徴とする。
また、検眼ケースに被検者の視力検査結果を記録する記録台を設けたことを特徴とする。
また、検眼ケースは移動可能なキャスター付きのスタンドに搭載されていることを特徴とする。
【０００６】
また、視力検査装置においては、前述した検眼装置と、該検眼装置のコントローラより遠隔操作により任意の検査指標を点灯表示可能な受信部を有する点灯表示装置とを備えたことを特徴とする。
【０００７】
【発明の実施の形態】
以下、本発明の好適な実施の態様を添付図面に基づいて詳細に説明する。
図１（ａ）〜（ｄ）は検眼ケースの使用時の側面図、上視図、正面図、及び収納時の部分正面図、図２は検眼ケースのヒンジ部分を示す説明図、図３は検眼装置の使用状態を示す斜視図、図４は検眼装置の収納状態を示す斜視図、図５はコントローラから再発信部までの信号伝達回路を示す説明図である。
【０００８】
先ず、図３及び図４を参照して視力検査装置の概略構成について説明する。
図３において、１は検眼装置を構成する検眼ケースであり、検眼ケース本体２と該検眼ケース本体２を開閉可能に取り付けられた検眼ケース蓋体３とを備えている。検眼ケース蓋体３は検眼ケース本体２に対してヒンジ部４を支点として開閉するように取り付けられている。図４は検眼ケース蓋体３を検眼ケース本体２に閉じた収納状態を示す。
検眼ケース本体２には複数の検眼レンズ５を有する検眼レンズセット６が収納されており、検眼ケース蓋体３には図６に示す点灯表示装置５１を遠隔操作する発信部を有するコントローラ７及び被検者の視力検査結果を記録する記録台８が収納されている。検眼ケース１は図６に示す点灯表示装置と合わせて視力検査装置として用いられ、該検眼ケース１は検査者の近傍において使用される。
コントローラ７は、テンキーや各種ファンクションキーを有する操作パネル９のみが露出するように検眼ケース蓋体３に収納されている。コントローラ７は、検眼ケース蓋体３に収納された状態で使用でき、必要に応じて検眼ケース蓋体３より取り外しても使用できるように着脱自在に収納されている。
【０００９】
また、検眼ケース本体２の頂部には再発信部１０が設けられている。この再発信部１０は、コントローラ７の発信部からの信号を受けて点灯表示装置の受信部に向けて再発信する。再発信部１０は、コントローラ７の発信部からの赤外線発信信号を検眼ケース本体２に設けた後述する信号伝達回路により光電変換して赤外線発信信号を再発信するようになっている。再発信部１０には赤外線発光ダイオードが設けられており、検眼ケース本体２の外面に赤外線光の投射方向を可変に、例えば１８０°程度回動可能に、取り付けられている。
検眼ケース１は、任意の位置で検査者の近傍に置いて使用するためキャスター付きのスタンド１１に搭載されており、必要に応じてキャスター１２をロックして固定したり、ロックを解除して移動することができるようになっている。また、スタンド１１にはキャスター１２の他に設置面に対して高さ調節ができるアジャスター１３（図１（ａ）（ｃ）参照）が設けられていても良い。
【００１０】
次に検眼ケース１の構成について図１及び図２を参照して具体的に説明する。図１（ａ）において、検眼ケース１は、検眼ケース本体２がスタンド１１に水平方向に対して手前側に３０°程度の傾きをもって支持されている。また、検眼ケース蓋体３は、水平方向に対して手前側に１５°程度の傾きをもって検眼ケース本体２に支持されている。検眼ケース蓋体３には、図１（ｂ）（ｃ）に示すように、向かって左側にコントローラ７が収納されており、右側に記録台８が設けられている。検眼ケース１は、図１（ｄ）に示すように、検眼ケース蓋体３がヒンジ部４を支点として１６５°程度回転させて検眼ケース本体２を覆って閉じることにより収納される。
【００１１】
また、検眼ケース本体２及び検眼ケース蓋体３は、ブロー成形品が用いられている。ヒンジ部４は、図２に示すように、検眼ケース本体２の支軸部１４の穴１４ａに嵌め込まれたビス１５に検眼ケース蓋体３に取り付けられたアングル材１６の穴１６ａを回動可能に嵌め込んでキャップ１７により抜け止めがなされている。検眼ケース本体２には検眼レンズ５や眼鏡を収納する収納トレイ１８が設けられている。この収納トレイ１８や検眼ケース蓋体３の記録台８は、レンズ類を収納したり、記録に使用することから面粗度を考慮して真空成形品が好適に用いられている。
【００１２】
ここで、コントローラ７から再発信部１０までの信号伝達手段の一例として設けた信号伝達回路１９について図５を参照して説明する。２０は回路基板であり、検眼ケース本体２内に設けられている。回路基板２０には、コントローラ７の発信部から送信された赤外線発信信号を電気信号に光電変換するフォトトランジスタ２１や該フォトトランジスタ２１より流れる信号電流を増幅するアンプ２２などが設けられている。また、回路基板２０には、信号伝達回路１９の動作電源を供給する電源２３、信号伝達回路１９より再発信部１０に通電するコネクタ２４ａ，２４ｂ，２４ｃが接続されている。コントローラ７は、検眼ケース蓋体３に収納して使用する場合には、パワージャック２５により電源２３に接続されて作動しても良く、或いはコントローラ７自信に内蔵する電池により作動しても良い。
【００１３】
コントローラ７は、キー入力に対応してアドレスコードをパルス信号化して搬送波で変調してリモコン信号を作り、赤外線発光ダイオードにより赤外線発信信号として出力する。
信号伝達回路１９は、コントローラ７より赤外線発信信号を受けると、フォトトランジスタ２１により赤外線発信信号を電気信号に光電変換し、アンプ２２により電流増幅してコネクタ２４ａ，２４ｂ，２４ｃを経て再発信部１０に通電する。再発信部１０には、赤外線ダイオードが設けられており、通電により赤外線発信信号を点灯表示装置（図６参照）の受信部に向けて再発信する。再発信部１０は検眼ケース本体２の頂部に赤外線光の投射方向を可変に設けられているので、赤外線発信信号の指向性は比較的広く取れるため、点灯表示装置は送信信号を確実に受信できる。点灯表示装置は、受信部にフォトダイオードが設けられており、赤外線発信信号を受信すると電気信号に変換して増幅した後、検波して搬送波を取り除き、波形成形してリモコン信号を取り出す。そして、装置制御部はリモコン信号のアドレスコードに対応する指標部分のランプを点灯させるようになっている。
【００１４】
上記構成によれば、検眼装置においては、複数の検眼レンズを収納した検眼レンズセット６、点灯表示装置を遠隔操作するコントローラ７及び被検者の視力検査結果を記録する記録台８を検眼ケース１内に一体に収納して使用可能になっているので、検査者の近くに検眼ケース１を置いて視力検査を行うことにより作業スペースを省略でき、しかも各種検査機能が検眼ケース１内に集約されているので使い勝手が良い。
また、コントローラ７は検眼ケース１より単独で取り外して使用できるが、検眼ケース１内に収納したまま使用できるので、コントローラ７を落として破損するおそれはなく安全である。
また、視力検査装置においては、検眼ケース蓋体３に収納されたコントローラ７からの赤外線発信信号を受けて、点灯表示装置の受信部に向けて再発信する再発信部１０を検眼ケース本体２の頂部に赤外線光の投射方向を可変に設けたので、検眼ケース１に収納したコントローラ７の送信部の指向性に制約されず、点灯表示装置の受信部に向けて確実かつ安定した通信状態を維持できる。
【００１５】
本実施例は、検眼ケース蓋体３にコントローラ７を収納し、検眼ケース本体２に再発信部１０を設けたが、これに限定されるものではなく、検眼ケース本体２にコントローラ７を収納し検眼ケース蓋体３に再発信部１０を設けても良いし、検眼ケース本体２又は検眼ケース蓋体３の一方にコントローラ７及び再発信部１０を設けても良い。
また、再発信部１０は、コントローラ７からの赤外線発信信号を信号伝達回路１９により光電変換して再発信するようにしたが、この再発信には、検眼ケース１に収納したまま発信するコントローラ７の発信信号の指向性が確保できるならば、該発信信号を電気的手段のみならず光学的手段を経て点灯表示装置の受信部に向けて発信する概念も含まれるものとする。例えば、信号伝達手段としては、コントローラ７を収納する検眼ケース１内に設けた光路を経て再発信用の窓を介して発信信号を点灯表示装置の受信部に向けて発信したり、コントローラ７からの赤外線発信信号を検眼ケース１内に設けられた複数段の反射ミラーによって反射させて反射光の指向性を確保した位置へ導いて点灯表示装置に向けて発信したり、或いはコントローラ７からの赤外線発信信号を検眼ケース１内に設けられた光ファイバーケーブルにより発信光の指向性を確保した位置へ導いて点灯表示装置に向けて発信しても良い。更にはコントローラ７から発信する信号は赤外線発信信号に限らず他の発信信号でも良い等、発明の精神を逸脱しない範囲内でさらに多くの改変を施し得るのはもちろんのことである。
【００１６】
【発明の効果】
本発明の検眼装置を用いると、複数の検眼レンズや眼鏡を収納した検眼レンズセット及び点灯表示装置を遠隔操作するコントローラを検眼ケース内に一体に収納して使用可能になっているので、検査者の近くに検眼ケースを置いて視力検査を行うことにより作業スペースを省略できしかも各種検査機能が検眼ケース内に集約されているので使い勝手が良い。また、被検者の視力検査結果を記録する記録台も検眼ケース内に設けた場合には、より使い勝手の向上が図れる。
また、コントローラは検眼ケースより単独で取り外して使用できるが、検眼ケース内に収納したまま使用できるので、コントローラを落として破損するおそれはなく安全である。
また、視力検査装置においては、検眼ケースに収納されたコントローラからの発信信号を受けて、点灯表示装置の受信部に向けて再発信する再発信部を検眼ケースの外面に発信光の投射方向を可変に設けたので、検眼ケースに収納したコントローラの送信部の指向性に制約されず、点灯表示装置の受信部に向けて確実かつ安定した通信状態を維持できる。
【図面の簡単な説明】
【図１】検眼ケースの使用時の側面図、上視図、正面図、及び収納時の部分正面図である。
【図２】検眼ケースのヒンジ部分を示す説明図である。
【図３】検眼装置の使用状態を示す斜視図である。
【図４】検眼装置の収納状態を示す斜視図である。
【図５】コントローラから再発信部までの信号伝達回路を示す説明図である。
【図６】点灯表示装置の説明図である。
【図７】従来のコントローラの使用態様を示す説明図である。
【図８】従来の検眼レンズセットの使用態様を示す説明図である。
【符号の説明】
１  検眼ケース
２  検眼ケース本体
３  検眼ケース蓋体
４  ヒンジ部
５  検眼レンズ
６  検眼レンズセット
７  コントローラ
８  記録台
９  操作パネル
１０  再発信部
１１  スタンド
１２  キャスター
１３  アジャスター
１４  支持軸
１５  ビス
１６  アングル材
１７  キャップ
１８  収納トレイ
１９  信号伝達回路
２０  回路基板
２１  フォトトランジスタ
２２  アンプ
２３  電源
２４ａ，２４ｂ，２４ｃ  コネクタ
２５  パワージャック
【図１】
0004282165.tif 000002
【図２】
0004282165.tif 000003
【図３】
0004282165.tif 000004
【図４】
0004282165.tif 000005
【図５】
0004282165.tif 000006
【図６】
0004282165.tif 000007
【図７】
0004282165.tif 000008
【図８】
0004282165.tif 000009